(57)【要約】【課題】ページング信号の輻輳および処理負荷を低減できること。【解決手段】ＭＭＥ１００は、ＵＥ１２０の通信切断時の通信状況と移動状況に関する情報を取得し、通信状況と移動状況に関する情報に基づき、ＵＥ１２０に対してページング信号を送信する際にＵＥ１２０が位置するセルを推定し、トラッキングエリアＴＡの複数のセルのうち、推定したセルにのみ初回のページング信号を送信する制御部を備える。制御部は、通信切断時からページング信号を送信するまでの経過時間が所定の制限時間内であれば、端末が位置するセルの推定を行い、推定したセルにのみ初回のページング信号を送信する。【選択図】図１
2019075680.tif 000002
【特許請求の範囲】
【請求項１】
移動する端末の通信切断時の通信状況と移動状況に関する情報を取得し、前記通信状況と前記移動状況に関する情報に基づき、前記端末に対してページング信号を送信する際に前記端末が位置するセルを推定し、トラッキングエリアの複数のセルのうち、推定した前記セルにのみ初回の前記ページング信号を送信する制御部を備えたことを特徴とする制御装置。
【請求項２】
前記制御部は、前記通信切断時から前記ページング信号を送信するまでの経過時間が所定の制限時間内であれば、前記端末が位置する前記セルの推定を行い、推定した前記セルにのみ初回の前記ページング信号を送信することを特徴とする請求項１に記載の制御装置。
【請求項３】
前記制御部は、前記経過時間が前記制限時間を超えていれば、前記トラッキングエリアの複数のセル全体に初回の前記ページング信号を送信することを特徴とする請求項１または２に記載の制御装置。
【請求項４】
前記制御部は、前記端末が位置するセルの推定結果が、前記セルの端部である場合、当該セルと、当該セルに隣接する周辺セルに初回の前記ページング信号を送信することを特徴とする請求項１〜３のいずれか一つに記載の制御装置。
【請求項５】
移動する端末と、複数のセルを有し前記端末と通信接続する基地局と、前記基地局を通信制御する制御装置と、前記端末のユーザー情報を格納する記憶部と、を有する移動通信システムにおいて、
前記端末は、前記基地局と通信中の通信状況に関する情報を前記基地局に送信し、
前記基地局は、前記端末から受信した前記通信状況に関する情報に基づき、前記端末の移動状況を算出し、前記通信状況と、前記移動状況に関する情報を前記制御装置に送信し、
前記制御装置は、前記通信状況と前記移動状況に関する情報を取得して前記記憶部に格納保持し、前記端末の通信切断時、前記記憶部に格納された前記端末の前記通信状況と前記移動状況に関する情報に基づき、前記端末に対してページング信号を送信する際に前記端末が位置するセルを推定し、トラッキングエリアの複数の前記セルのうち、推定した前記セルにのみ初回の前記ページング信号を送信する、
ことを特徴とする移動通信システム。
【請求項６】
移動する端末と、複数のセルを有し前記端末と通信接続する基地局と、前記基地局を通信制御する制御装置と、前記端末のユーザー情報を格納する記憶部と、を有する移動通信システムの移動通信方法において、
前記端末は、前記基地局と通信中の通信状況に関する情報を前記基地局に送信し、
前記基地局は、前記端末から受信した前記通信状況に関する情報に基づき、前記端末の移動状況を算出し、前記通信状況と、前記移動状況に関する情報を前記制御装置に送信し、
前記制御装置は、前記通信状況と前記移動状況に関する情報を取得して前記記憶部に格納保持し、前記端末の通信切断時、前記記憶部に格納された前記端末の前記通信状況と前記移動状況に関する情報に基づき、前記端末に対してページング信号を送信する際に前記端末が位置するセルを推定し、トラッキングエリアの複数の前記セルのうち、推定した前記セルにのみ初回の前記ページング信号を送信する、
ことを特徴とする移動通信方法。
【発明の詳細な説明】
【技術分野】
【０００１】
本発明は、端末の移動管理を行う制御装置、移動通信システムおよび移動通信方法に関する。
【背景技術】
【０００２】
移動体通信制御システムでは、ネットワーク側よりユーザーの端末に対する（下り通信の）接続要求時に制御装置（ＭＭＥ：Ｍｏｂｉｌｉｔｙ  Ｍａｎａｇｅｍｅｎｔ  Ｅｎｔｉｔｙ）が管理する基地局に対してページング（Ｐａｇｉｎｇ）信号を発行する。端末の位置はトラッキングエリア識別子（ＴＡＩ）の範囲で管理しており、ＭＭＥは、管理する多数の基地局全体のセルを含むトラッキングエリア（ＴＡ）単位でページング信号を送信する。ＴＡはＴｒａｃｋｉｎｇ  Ａｒｅａ、ＴＡＩはＴｒａｃｋｉｎｇ  Ａｒｅａ  Ｉｄｅｎｔｉｔｙの略である。
【０００３】
近年、ネットワーク側から端末に対する各種サービス情報の配信の増加によってページング信号を送信するＰ−ＣＨ（Ｐａｇｉｎｇ  ＣＨａｎｎｅｌ）の輻輳発生による、ページング信号の破棄が行われている。ページング信号の破棄により、ネットワーク側から端末に対する着信の接続性が低下する。
【０００４】
このＰ−ＣＨの輻輳を回避するため、従来、ＴＡＵｐｄａｔｅを受信してから一定時間は該当ＴＡ近辺に端末が存在すると想定し、端末の移動速度によって一定時間を可変させてページング信号を送信するセルを限定する技術が開示されている（例えば、下記特許文献１参照）。また、ユーザーの移動速度、パイロット信号の強度、セル滞在時間等に基づきページング信号を送信するエリアを求める技術が開示されている（例えば、下記特許文献２〜４参照。）。
【先行技術文献】
【特許文献】
【０００５】
【特許文献１】特開２０１６−１００７２３号公報
【特許文献２】特表２０１０−５１５３３９号公報
【特許文献３】特表２００６−５０６９１４号公報
【特許文献４】特表２０１２−５１２５９４号公報
【発明の概要】
【発明が解決しようとする課題】
【０００６】
基地局のセルにユーザーの端末が存在するのは、実際にはある１セルのみである。しかし、従来のＭＭＥは、ユーザーの端末が位置する１セル以外の複数セルに対しても不要なページング信号を送信するためＰ−ＣＨの輻輳を招く。従来は、通信の切断後の端末の位置が不明であるため、ページング信号を送信するタイミングの際に適切なセルを選択する制御が行えなかった。
【０００７】
加えて、上述したネットワーク側から端末に対する各種サービス情報の配信の増加はＰ−ＣＨの輻輳をさらに増大させる。ここで、仮に、ページング信号の破棄を抑制するため、ＭＭＥがＴＡＩを狭める制御を行ったとすると、端末からの位置登録要求が増加し、コアノードを含む移動通信システム全体の処理能力を圧迫させる。
【０００８】
特許文献１の技術では、ＴＡ境界を越えた際に端末からのＴＡＵｐｄａｔｅメッセージを基準としてＭＭＥが制御を行うため、ページング信号の送信を抑止する単位はＴＡ単位となり、ＴＡ内のセル単位での制御ができない。特許文献２〜４の技術においても、通信の切断後の端末の位置に適したページング信号を送信できない。
【０００９】
このため、従来は、ページング信号の送出先を正確にできず、ページング信号の破棄を抑制できないとともに、移動通信システム全体のＰ−ＣＨの輻輳および処理負荷を低減できなかった。
【００１０】
一つの側面では、本発明は、ページング信号の輻輳および処理負荷を低減できることを目的とする。
【課題を解決するための手段】
【００１１】
一つの案では、制御装置は、移動する端末の通信切断時の通信状況と移動状況に関する情報を取得し、前記通信状況と前記移動状況に関する情報に基づき、前記端末に対してページング信号を送信する際に前記端末が位置するセルを推定し、トラッキングエリアの複数のセルのうち、推定した前記セルにのみ初回の前記ページング信号を送信する制御部を備えたことを要件とする。
【発明の効果】
【００１２】
一つの実施形態によれば、ページング信号の輻輳および処理負荷を低減できる。
【図面の簡単な説明】
【００１３】
【図１】図１は、実施の形態にかかる制御装置を含む移動通信システムの全体構成例を示す図である。
【図２】図２は、実施の形態にかかる制御装置の構成例を示す図である。
【図３】図３は、実施の形態にかかる移動通信システムに設けられる基地局の構成例を示す図である。
【図４】図４は、実施の形態にかかる移動通信システムに設けられるＨＳＳの構成例を示す図である。
【図５】図５は、実施の形態にかかる移動通信システムに設けられる端末の構成例を示す図である。
【図６】図６は、実施の形態にかかる制御装置のハードウェア構成例を示す図である。
【図７】図７は、実施の形態にかかる制御装置によるページング信号の送出先セルの推定例１を説明する図である。
【図８】図８は、実施の形態にかかる制御装置によるページング信号の送出先セルの推定例２を説明する図である。
【図９】図９は、実施の形態にかかる制御装置によるページング信号の送出先セルの推定例４を説明する図である。
【図１０】図１０は、実施の形態にかかるＨＳＳが保持するユーザー情報の例を示す図表である。
【図１１】図１１は、実施の形態にかかる基地局が行う処理例を示すフローチャートである。
【図１２】図１２は、実施の形態にかかるＭＭＥが行う処理例を示すフローチャートである。
【図１３】図１３は、実施の形態にかかる移動通信システム全体の処理例を示すシーケンス図である。（その１）
【図１４】図１４は、実施の形態にかかる制御装置によるページング信号の送出先セルの推定例１のシーケンス図である。
【図１５】図１５は、実施の形態にかかる制御装置によるページング信号の送出先セルの推定例２のシーケンス図である。
【図１６】図１６は、実施の形態にかかる制御装置によるページング信号の送出先セルの推定例４のシーケンス図である。
【図１７】図１７は、実施の形態にかかる制御装置によるＵＥの移動先セルの推定を説明する図である。
【図１８】図１８は、実施の形態にかかる移動通信システム全体の処理例を示すシーケンス図である。（その２）
【図１９】図１９は、実施の形態にかかる制御装置による統計情報を用いたＵＥの移動先セル推定の処理例を示すフローチャートである。（その１）
【図２０】図２０は、実施の形態にかかる制御装置による統計情報を用いたＵＥの移動先セル推定の処理例を示すフローチャートである。（その２）
【発明を実施するための形態】
【００１４】
（実施の形態）
実施の形態にかかる制御装置は、例えば、移動通信システムのＭＭＥに実装される。実施の形態では、主に、ネットワーク網側から端末（ＵＥ）に対する下り（Ｄｏｗｎｌｉｎｋ）のデータ伝送時のページング送信にかかる構成について説明する。
【００１５】
そして、実施の形態のＭＭＥは、移動自在なユーザーの端末ＵＥの行動を推定して、基地局ｅＮＢに対して送信するページング信号の範囲を小さくする。この際、ＭＭＥは、初回（１回目）のページング信号は推定したセルにのみ範囲を小さくして送信し、２回目は既存通りのＴＡ（ＴＡＩ）の全セル範囲に送信する。ＵＥはＵｓｅｒ  Ｅｑｕｉｐｍｅｎｔ、ｅＮＢはｅｖｏｌｖｅｄ  Ｎｏｄｅ  Ｂの略である。
【００１６】
通信切断後のページング信号は、例えば、メールの場合、メールにて会話しているユーザーのＵＥがメールをネットワーク網側に送信した直後に、ＵＥがメールを受信する際にネットワーク側が送信することが推定される。この場合、ＵＥは、メール送信のための通信が切断された数分後にページング信号を受信することとなる。また、各種チャットツールなどでも同様である。
【００１７】
図１は、実施の形態にかかる制御装置を含む移動通信システムの全体構成例を示す図である。実施の形態の制御装置はＭＭＥ１００に実装される。ＭＭＥ１００にはＨＳＳ１０１，Ｓ−ＧＷ１０２が接続される。ＨＳＳはＨｏｍｅ  Ｓｕｂｓｃｒｉｂｅｒ  Ｓｅｒｖｅｒ、Ｓ−ＧＷはＳｅｒｖｉｎｇ−ＧａｔｅＷａｙの略である。
【００１８】
ＭＭＥ１００は、Ｓ１インタフェースを介して複数の基地局（ｅＮＢ）１１０に対する呼制御、ページング信号の送出制御、セル管理制御等の処理を行う。ＨＳＳ１０１は、サービス情報やＵＥ１２０のユーザー情報をデータベースとして格納する記憶部であり、Ｓ６ａインタフェースを介してＭＭＥ１００に接続される。
【００１９】
ユーザー情報は、既存のＵＥ１２０の識別子（ＩＤ）、ＴＡＩの情報の他に、ＭＭＥ１００が算出するＵＥ１２０の通信切断時の通信状況や移動状況等の情報（テンポラリ情報）を含む。通信状況や移動状況の情報としては、例えば、通信の切断時刻、切断時の位置（セルＩＤ）、ＵＥ１２０の移動速度、ｅＮＢ１１０との間の電力値、ＵＥ１２０が通信したセルの統計をとったセル統計情報、等を含む。
【００２０】
Ｓ−ＧＷ１０２は、例えば、ＬＴＥ等の通信規格の移動体通信のユーザーデータを伝送し、アクセス収容網であるＭＭＥ１００および基地局ｅＮＢ１１０へのユーザーデータの転送経路の切り替えを制御する。ＬＴＥはＬｏｎｇ  Ｔｅｒｍ  Ｅｖｏｌｕｔｉｏｎの略である。
【００２１】
実施の形態のＭＭＥ１００は、Ｓ−ＧＷ１０２より着信接続依頼を受信すると、ＨＳＳ１０１より該当するユーザーのＵＥ１２０のユーザー情報を取得する。また、ＭＭＥ１００は、ｅＮＢ１１０からＵＥ１２０の通信中の通信状況と移動状況に関する情報を既存の通信コマンドにより取得する。そして、ＭＭＥ１００は、取得したこれらの情報に基づき、ユーザーのＵＥ１２０が位置するセルを推定し、１回目のページング信号をユーザーのＵＥ１２０が位置するセルを収容するｅＮＢ１１０に対して送信する。ｅＮＢ１１０では、ＭＭＥ１００が指定したセルのみに対してページング信号を送信する。これにより、ＴＡＩ範囲の他のセルにおいて無駄なページング信号を送信することを抑止する。
【００２２】
図１を用いて具体的に説明する。ＭＭＥ１００は、複数のｅＮＢ＃１〜＃３（１１０）のセル（Ｃｅｌｌ＃１〜＃５）を収容し、これらセル（Ｃｅｌｌ＃１〜＃５）により所定のＴＡを構築している。
【００２３】
ここで、ユーザーのＵＥ１２０がｅＮＢ＃３（１１０）のセル（Ｃｅｌｌ＃３）からｅＮＢ＃２（１１０）のセル（Ｃｅｌｌ＃２）に移動したとする。移動後のＵＥ１２０は、ＲＲＣのメジャーメントレポート（Ｍｅａｓｕｒｅｍｅｎｔ  Ｒｅｐｏｒｔ）を基地局（ｅＮＢ＃２）１１０に送信する（図１の符号ａ）。ＲＲＣはＲａｄｉｏ  Ｒｅｓｏｕｒｃｅ  Ｃｏｎｔｒｏｌの略である。Ｍｅａｓｕｒｅｍｅｎｔ  Ｒｅｐｏｒｔは、ＵＥ１２０が測定した通信中のセルおよび周辺セル（ｅＮＢ）１１０の受信電力（通信状況の電力値）を含む。
【００２４】
基地局（ｅＮＢ＃２）１１０は、移動したＵＥ１２０から受信したＭｅａｓｕｒｅｍｅｎｔ  Ｒｅｐｏｒｔに対応して、Ｓ１ＡＰのＵＥ  Ｃｏｎｔｅｘｔ  Ｒｅｌｅａｓｅ  ＣｏｍｐｌｅｔｅをＭＭＥ１００に送信する（図１の符号ｂ）。Ｓ１ＡＰはＳ１インタフェースを用いたＳ１  Ａｐｐｌｉｃａｔｉｏｎ  Ｐｒｏｔｏｃｏｌの略である。
【００２５】
そして、Ｓ−ＧＷ１０２は、ＵＥ１２０への着信接続依頼時、ＭＭＥ１００に対してＧＴＰ−ＣのＤａｗｎｌｉｎｋ  Ｄａｔａ  Ｎｏｔｉｆｉｃａｔｉｏｎで着呼のトリガーを送信する（図１の符号ｃ）。
【００２６】
この際、ＭＭＥ１００は、ＨＳＳ１０１に格納されたＵＥ１２０のユーザー情報（通信状況、移動状況等）に基づき、ＵＥ１２０が位置するセルを送信するページング信号の範囲として推定する。そして、ＭＭＥ１００は、Ｓ１ＡＰでＲＲＣ  Ｐａｇｉｎｇ（ページング信号）を推定したセルを収容するｅＮＢ（１１０）に送信する（図１の符号ｄ）。図１の例では、ＭＭＥ１００は、１回目に送信するページング信号を、全体のセルのうち一部のセル（Ｃｅｌｌ＃２，＃３）のｅＮＢ＃２，＃３（１１０）に対してのみ送信する。
【００２７】
これにより、実施の形態によれば、ＭＭＥ１００は、ＵＥ１２０が位置するセルを推定して、ＴＡ（ＴＡＩ）範囲のうち一部のセル（Ｃｅｌｌ＃２，＃３）にのみページング信号を送信できる。そして、他のセル（例えば、Ｃｅｌｌ＃１，＃４，＃５）に対する無駄なページング信号の送信を抑止できるようになる。
【００２８】
図２は、実施の形態にかかる制御装置の構成例を示す図である。制御装置１００が実装されるＭＭＥ１００の内部機能の構成例を示す。実施の形態では、主にＭＭＥ１００は、ページング信号の送出制御にかかる構成について説明する。
【００２９】
ＭＭＥ１００は、制御部（コントローラ部、ＣＮＴ部）２０１、ｅＮＢ通信制御部２０２、ＨＳＳ通信制御部２０３、Ｓ−ＧＷ通信制御部２０４と、を含む。ｅＮＢ通信制御部２０２は、例えばＳ１インタフェースを介してｅＮＢ１１０と通信接続する。ＨＳＳ通信制御部２０３は、例えばＳ６ａインタフェースを介してＨＳＳ１０１と通信接続する。ＭＭＥ１００から送信されたＵＥ１２０のユーザー情報（通信状況、移動状況等の情報を含む）は、制御部２０１の制御により、ＨＳＳ通信制御部２０３を介してＨＳＳ１０１に格納保持される。Ｓ−ＧＷ通信制御部２０４は、例えばＳ１インタフェースを介してＳ−ＳＷ１０２と通信接続する。
【００３０】
制御部（ＣＮＴ部）２０１は、呼制御部２１１、ページング信号処理部２１２、セル構成管理部２１３を含む。呼制御部２１１は、Ｓ−ＧＷ１０２からの着呼を受け付けると、ｅＮＢ１１０を介してＵＥ１２０への呼制御として発信を行う発信制御部２１１ａと、この後のシーケンス制御で終話を行う終話制御部２１１ｂとを含む。
【００３１】
ページング信号処理部２１２は、ページング信号編集・送信部２１２ａと、ページング信号送信先セル算出処理部２１２ｂとを含む。ページング信号編集・送信部２１２ａは、ページング信号を編集し、編集したページング信号に対応するセル（ｅＮＢ１１０）にページング信号を送信する。ページング信号送信先セル算出処理部２１２ｂは、ＨＳＳ１０１に格納されているユーザー情報等に基づき、ページング送信先セル（ｅＮＢ１１０）を推定する算出処理を行う。
【００３２】
セル構成管理部２１３は、セル配置の地図データ等に基づき、ページング信号の送信セルの配置構成を管理する。また、制御部（ＣＮＴ部）２０１は、ＨＳＳ１０１が格納するユーザー情報を統計処理する統計情報収集・管理部２１４を含んでもよい。統計情報収集・管理部２１４は、ＨＳＳ１０１に格納されているユーザーデータに基づき、ＵＥ１２０が位置するセル毎の呼接続回数を所定期間分、集計処理する。
【００３３】
図３は、実施の形態にかかる移動通信システムに設けられる基地局の構成例を示す図である。基地局（ｅＮＢ）１１０の内部機能の構成例を示す。ｅＮＢ１１０は、ＵＥ１２０と無線通信により接続し、ＵＥ１２０に対しページング信号の送信を行う。
【００３４】
ｅＮＢ１１０は、制御部（ＣＮＴ部）３０１、ＭＭＥ通信制御部３０２、無線通信部３０３を含む。ＭＭＥ通信制御部３０２は、例えば、Ｓ１インタフェースを介してＭＭＥ１００と通信接続する。無線通信部３０３は、ＵＥ１２０との間で無線通信により信号の送受信を行い、またＵＥ１２０との間の無線通信時の無線品質を測定する。
【００３５】
制御部（ＣＮＴ部）３０１は、呼制御部３１１、ページング信号処理部３１２、測定部３１３、移動情報算出処理部３１４を含む。呼制御部３１１は、ＭＭＥ１００からの着呼を受け付けると、ＵＥ１２０への呼制御として発信を行う発信制御部３１１ａと、この後のシーケンス制御で終話を行う終話制御部３１１ｂとを含む。
【００３６】
ページング信号処理部３１２は、ＭＭＥ１００から受信したページング信号に対応するセル（ＵＥ１２０）にページング信号を送信する。測定部３１３は、ＵＥ１２０に対し、電波状況（上記電波強度等）の測定指示を行い、ＵＥ１１０が測定した電波状況の測定結果を取得する。移動情報算出処理部３１４は、測定部３１３の測定結果に基づき、ＵＥ１２０の移動状況（移動速度、移動方向等）の算出処理を行い、算出した移動状況の情報をＭＭＥ通信制御部３０２を介してＭＭＥ１００に送信する。ＭＭＥ１００は、ｅＮＢ１１０から受信したＵＥ１１０の移動状況（移動速度、移動方向等）を、ＨＳＳ１０１にユーザー単位で更新可能に格納保持する。
【００３７】
図４は、実施の形態にかかる移動通信システムに設けられるＨＳＳの構成例を示す図である。ＨＳＳ１０１の内部機能の構成例を示す。ＨＳＳ１０１は、ＵＥ１２０のユーザー情報を格納保持し、ＭＭＥ１００により読出しおよび書込みが制御される。
【００３８】
ＨＳＳ１０１は、ユーザー情報管理部４０１、ストレージ（データベース、ＤＢ）４０２、ＭＭＥ通信制御部４０３を含む。ユーザー情報管理部４０１は、ユーザー情報を記憶、管理する。このユーザー情報管理部４０１は、ＤＢ４０２に対してユーザー情報を書き込むユーザー情報書き込み部４０１ａと、ＤＢ４０２からユーザー情報を読み出すユーザー情報取得部４０１ｂとを含む。
【００３９】
ＤＢ４０２は、ユーザー情報を記憶するストレージである。ＭＭＥ通信制御部４０３は、ＭＭＥ１００と通信接続され、ＭＭＥ１００との間でユーザー情報を送受信する。
【００４０】
図５は、実施の形態にかかる移動通信システムに設けられる端末の構成例を示す図である。ＵＥ１２０の内部機能の構成例を示す。ＵＥ１２０は、既存の機能を有していればよく、実施の形態で新たな機能等は有していない。ＵＥ１２０は、ｅＮＢ１１０と無線通信により接続し、ｅＮＢ１１０からページング信号を受信する。
【００４１】
ＵＥ１２０は、制御部（ＣＮＴ部）５０１、無線通信部５０２を含む。無線通信部５０２は、ｅＮＢ１１０との間で無線通信により信号の送受信を行い、また、ｅＮＢ１１０との間の無線状況（無線品質）を測定する。
【００４２】
制御部（ＣＮＴ部）５０１は、呼制御部５１１、ページング信号処理部５１２、測定部５１３を含む。呼制御部５１１は、ｅＮＢ１１０からの着呼を受け付けると、呼制御として着呼を行う着呼制御部５１１ａと、この後のシーケンス制御で終話を行う終話制御部５１１ｂとを含む。
【００４３】
ページング信号処理部５１２は、ｅＮＢ１１０から受信したページング信号に基づき呼を生起する受信処理を行う。測定部５１３は、ｅＮＢ１１０からの測定指示により、通信可能な複数のｅＮＢ１１０との間の電波状況（上記電波強度等）の測定を行い、測定結果（電波状況）をｅＮＢ１１０に送信する。
【００４４】
図６は、実施の形態にかかる制御装置のハードウェア構成例を示す図である。ＭＭＥ１００は、入出力インタフェース（ＩＦ）６０１、ネットワークインタフェース６０２、ＣＰＵ（Ｃｅｎｔｒａｌ  Ｐｒｏｃｅｓｓｉｎｇ  Ｕｎｉｔ）６０３、メモリ６０４を含む。
【００４５】
入出力ＩＦ６０１は、ＨＳＳ１０１との間で例えばＳ６ａインタフェースによる通信を行い、図２のＨＳＳ通信制御部２０３の機能を実現する。ネットワークインタフェース６０２は、Ｓ−ＧＷ１０２、およびｅＮＢ１１０との間で例えばＳ１インタフェースによる通信を行い、図２のＳ−ＧＷ通信制御部２０４、ｅＮＢ通信制御部２０２の機能を実現する。
【００４６】
ＣＰＵ６０３は、ＭＭＥ１００全体を統括制御し、図２の制御部（ＣＮＴ部）２０１の機能を実現する。図２に示した制御部２０１の各機能は、図６に示したＣＰＵ６０３がメモリ６０４に格納されたプログラムを読み出し実行し、その際、メモリ６０４を作業領域に使用することで実現可能である。メモリ６０４は、ＲＯＭ，ＲＡＭ，フラッシュＲＯＭ等を用いることができる。また、メモリ６０４は、図２に示したセル構成管理部２１３と、統計情報収集・管理部２１４が管理する情報をそれぞれ更新可能に記憶保持する。
【００４７】
また、移動通信システムを構成する他のｅＮＢ１１０およびＵＥ１２０は、上記構成に加えて、無線通信するＲＦ回路を備えて実現できる。そして、上記ＣＰＵ６０３によるプログラム実行により、ｅＮＢ１１０の制御部３０１、およびＵＥ１２０の制御部５０１の機能を実現する。また、移動通信システムを構成する他のＨＳＳ１０１は、上記構成のメモリ６０４により図４に示したストレージ（ＤＢ）４０２の機能を実現できる。
【００４８】
（ページングを送信するセルの推定例）
次に、ＭＭＥ１００が行うページング信号を送信するセルの推定例（１）〜（７）を説明する。ＵＥ１２０の通信状態、例えば移動状態の変化に基づいて、ＭＭＥ１００の制御部（ＣＮＴ部）２０１がページング信号を送信するセルを算出する各種例について説明する。
【００４９】
（１）通信切断後も同じセルにページング信号を送信する例
図７は、実施の形態にかかる制御装置によるページング信号の送出先セルの推定例１を説明する図である。ＭＭＥ１００は、ｅＮＢ１１０と通信中のＵＥ１２０が測定した電力値の変動を測定する。この電力値は、ｅＮＢ１１０からの通信メッセージを介してＭＭＥ１００が取得する。
【００５０】
そして、図７に示す電力の変動が少ないＵＥ１２０は、通信切断後も、しばらくの時間はその場（Ｃｅｌｌ＃６）に留まる可能性が高いと推定して、ＭＭＥ１００は、１回目のページング信号ｄを通信切断前のセル（Ｃｅｌｌ＃６）のみに送信する。例えば、自宅、職場、カフェ等で通信したＵＥ１２０は、通信切断後も、その場から移動しないことが考えられる。
【００５１】
（２）ＵＥがセル端に位置する場合にページング信号を送信する例
図８は、実施の形態にかかる制御装置によるページング信号の送出先セルの推定例２を説明する図である。上記推定例（１）同様に、ＵＥ１２０は電力の変動が少ない状態であるとする。そして、ＭＭＥ１００は、電力値等からＵＥ１２０がセル（Ｃｅｌｌ＃６）の端部に位置すると判定した場合、周辺セル（Ｃｅｌｌ＃７）を含むセル（Ｃｅｌｌ＃６、＃７）に対して、１回目のページング信号を送信する。
【００５２】
ＭＭＥ１００は、セル構成管理部２１３により各セルの配置を把握し、また、ＵＥ１２０から各セルの電波状況を取得し、これらに基づき、あるセルに対する周辺セルを求めることができる。図８の例の場合、Ｃｅｌｌ＃６の周辺セルはＣｅｌｌ＃５，＃７であるが、ＵＥ１２０から取得したＣｅｌｌ＃５の電波強度は低く、Ｃｅｌｌ＃７の電波強度が高い。この場合、ＭＭＥ１００は、ＵＥ１２０がＣｅｌｌ＃７に近いＣｅｌｌ＃６端に位置していると判断できる。
【００５３】
（３）前回の通信からの時間経過後のページング信号を送信する例
ＭＭＥ１００は、ＵＥ１２０に対する前回の通信時刻から次にページング信号を送信する送信時刻までの経過時間ｔ１に基づき、ページング信号を送信するセルの範囲を拡張する。この場合、ＭＭＥ１００は、ＵＥ１２０に対する前回の通信時刻から次にページング信号を送信する送信時刻までの経過時間ｔ１が長くなる程、ページング信号を送信する周辺セルを増加させていく。経過時間ｔ１の測定は、制御部（ＣＮＴ部）２０１のＣＰＵ６０３内蔵のタイマ、例えば、統計情報収集・管理部２１４のタイマ計時で行える。
【００５４】
（４）ＵＥのセル移動を推定してページング信号を送信する例
図９は、実施の形態にかかる制御装置によるページング信号の送出先セルの推定例４を説明する図である。ＭＭＥ１００は、通信中のＵＥ１２０の通信時間ｔ２および、その間の電力値の変動を測定する。また、ＭＭＥ１００は、ＵＥ１２０の通信時間ｔ２が所定の閾値よりも長く、かつ、電力の変動値からＵＥ１２０が特定の方向へ移動していると判断したとする。この場合、ＭＭＥ１００は、ＵＥ１２０の移動速度および移動方向、通信の切断時刻から次にページング信号を送信するまでの経過時間ｔ１によって、該当のＵＥ１２０が位置する可能性のセルを推定し、推定したセルに１回目のページング信号を送信する。
【００５５】
図９の例では、ＭＭＥ１００は、Ｃｅｌｌ＃６で通信中のＵＥ１２０の通信時間ｔ２および、その間の電力値の変動を測定する。そして、ＭＭＥ１００は、ＵＥ１２０の通信時間ｔ２が所定の閾値よりも長く、かつ、電力の変動値からＵＥ１２０がＣｅｌｌ＃７の方向へ移動していると判断したとする。
【００５６】
この場合、ＭＭＥ１００は、ＵＥ１２０の移動速度および移動方向、通信の切断時刻からページング信号を送信するまでの経過時間ｔ１によって、このＵＥ１２０がＣｅｌｌ＃７に位置する可能性が高いと推定する。そしてＭＭＥ１００は、通信切断前のＣｅｌｌ＃６と、推定したＣｅｌｌ＃７に１回目のページング信号ｄを送信する。
【００５７】
（５）前回の通信切断後、制限時間を超えた後にページング信号を送信する例
上述した例（１）〜（３）については、ＵＥ１２０について、前回の通信の切断時刻からページング送信するまでの経過時間ｔ１が制限時間ｔ３（例えば２４時間）を超えた場合には、ＭＭＥ１００は、その後のページング信号の送信先を絞る推定を行わない。この場合、ＭＭＥ１００は、既存の技術に沿って１回目のページング信号であってもＴＡ（ＴＡＩ）の全範囲に送信する。
【００５８】
（６）ＵＥとの通信切断を遅延させてユーザー（ＵＥ）の移動状況を検出してページング信号を送信する例
例えば、駅のホームでユーザー（ＵＥ１２０）が通信後に、電車の到来により通信を切断して電車に乗るユーザー（ＵＥ）も多い。これに対応し、ＵＥ１２０による通信切断時には、遅延時間ｔ４（例えば１分程度）だけ、通信（ＲＲＣ  Ｃｏｎｎｅｃｔｉｏｎ）を切断せずにｅＮＢ１１０（移動情報算出処理部３１４）が電力値を測定して、ＵＥ１２０の移動の有無を判定する。また、この移動判定は、ＭＭＥ１００が電力値に基づき、ＵＥ１２０の移動の有無を判定してもよい。
【００５９】
そして、ＵＥ１２０の移動判定時には、ＭＭＥ１００は、既存の技術に沿って１回目のページング信号をＴＡ（ＴＡＩ）の全範囲に送信する。例えば、ユーザー（ＵＥ）側からの通信切断操作後に、遅延時間分だけＲＲＣ  Ｃｏｎｎｅｃｔｉｏｎを遅らせて切断する処理例の詳細は後述する。
【００６０】
（７）ユーザー（ＵＥ）の位置の統計情報を用いてページング信号を送信する例
ＭＭＥ１００は、統計情報収集・管理部２１４により、ユーザー（ＵＥ１２０）の過去一定期間Ｔ（例えば１週間）のＵＥ１２０の通信状況（例えば位置）を例えばＨＳＳ１０１に蓄積保持しておく。ＭＭＥ１００は、一定期間ＴにおいてＵＥ１２０が位置するセルを統計処理し、ＵＥ１２０が特定のセルに集中している場合、ＵＥ１２０に対する１回目のページング信号を、位置が集中しているセルに送信する。
【００６１】
そして、ＭＭＥ１００は、ユーザー（ＵＥ）との通信接続毎に、ＨＨＳ１０１に保持されている該当ユーザー情報のセルのカウントをインクリメントし、一定期間Ｔ（例えば１週間）の間においてＵＥ１２０が使用（位置）したセルの使用率（％）を算出する。そして、ＭＭＥ１００は、ページング信号を送信する際に、ＨＳＳ１０１のユーザー情報のセルカウント数を参照し、使用率が一定の比率（例えば２０％）以上のセルに対してのみ、ページング信号を送信する。
【００６２】
図１０は、実施の形態にかかるＨＳＳが保持するユーザー情報の例を示す図表である。ＨＳＳ１０１のストレージ（ＤＢ）４０２に格納保持されるユーザー情報の各項目を示す。ユーザー情報として、ＵＥ−ＩＤ（ユーザーのＩＤ）、ＴＡＩ、その他ユーザーのサービスクラス、セキュリティーキー等、が既存の技術に基づきＤＢ４０２に格納保持される。
【００６３】
以下の各項目は、実施の形態において追加されるユーザー情報であり、ＵＥ１２０との通信切断時に、ページング信号の送信先セルを特定するために、ＭＭＥ１００が算出し、ＨＳＳ１０１に格納されるテンポラリ情報である。
【００６４】
切断時刻は、ｅＮＢ１１０からＵＥ  Ｃｏｎｔｅｘｔ  Ｒｅｌｅａｓｅ  Ｃｏｍｐｌｅｔｅを受信した時刻である。移動速度は、ｅＮＢ１１０より通知された値（ｍ／秒）である。移動方向は、ｅＮＢ１１０より通知された値（セルＩＤ）である。切断時のセル（Ｃｅｌｌ）ＩＤは、Ｅ−ＵＴＲＡＮ  ＣＧＩのＣｅｌｌ  Ｉｄｅｎｔｉｔｙの値である。電力値は、切断時のセルのＲＳＳＩ（Ｒｅｃｅｉｖｅｄ  Ｓｉｇｎａｌ  Ｓｔｒｅｎｇｔｈ  Ｉｎｄｉｃａｔｏｒ）値（ｄＢｍ）である。
【００６５】
周辺のセル（Ｃｅｌｌ）ＩＤは、Ｅ−ＵＴＲＡＮ  ＣＧＩのＣｅｌｌ  Ｉｄｅｎｔｉｔｙの値である。電力値は、切断時の周辺のセルのＲＳＳＩ（Ｒｅｃｅｉｖｅｄ  Ｓｉｇｎａｌ  Ｓｔｒｅｎｇｔｈ  Ｉｎｄｉｃａｔｏｒ）値（ｄＢｍ）である。
【００６６】
また、セル統計情報として、セル統計情報数（ＨＳＳ１０１が保持しているセル統計情報数）、セルＩＤ、セル使用回数（セルＩＤが指定された回数）、セル使用率（セル統計情報に記録された全セルＩＤの総使用回数に占める割合（％）を保持する。
【００６７】
ユーザー情報のうち、セル使用回数と、セル使用率は、上述した（７）ユーザー（ＵＥ）の位置の統計情報を用いてページング信号を送信する例において、ＭＭＥ１００が参照する。
【００６８】
図１１は、実施の形態にかかる基地局が行う処理例を示すフローチャートである。ｅＮＢ１１０の移動情報算出処理部３１４が行うユーザー情報（通信状況、移動状況等）のデータ処理例を示し、ＲＲＣ  Ｃｏｎｎｅｃｔｉｏｎ切断毎に実行する。
【００６９】
ｅＮＢ１１０は、ＭＭＥ１００からＵＥ  Ｃｏｎｔｅｘｔ  Ｒｅｌｅａｓｅ  Ｃｏｍｍａｎｄを受信すると（ステップＳ１１０１）、ＵＥ（ｅＮＢ  ＵＥ  Ｓ１ＡＰ  ＩＤ）単位で以下のユーザー情報をＨＳＳ１０１に保存する（ステップＳ１１０２）。この際のユーザー情報は、ｅＮＢ１１０が算出するセルＩＤ、切断時刻と、ＵＥ（１２０）からＭｅａｓｕｒｅｍｅｎｔ  Ｒｅｐｏｒｔにより取得した電力値、移動速度、移動方向、周辺セルＩＤ×ｎ、周辺セル電力値×ｎ等がある。×ｎは複数であることを示す。
【００７０】
そして、ｅＮＢ１１０は、ＵＥ  Ｃｏｎｔｅｘｔ  Ｒｅｌｅａｓｅ  Ｃｏｍｐｌｅｔｅにより、ＭＭＥ１００に上記ユーザー情報を送信し（ステップＳ１１０３）、処理を終了する。
【００７１】
図１２は、実施の形態にかかるＭＭＥが行う処理例を示すフローチャートである。主にＭＭＥ１００のページング信号処理部２１２が行うページング信号の送出先のセルの推定例を示し、ＵＥ１２０との通信切断後、再度の通信接続（確立）時におけるページング送信契機で実行する。
【００７２】
はじめに、ＭＭＥ１００は、Ｓ−ＧＷ１０２からページングのトリガーを受信する（ステップＳ１２０１）。トリガーは、例えば、ＧＴＰ−ＣのＤａｗｎｌｉｎｋ  Ｄａｔａ  Ｎｏｔｉｆｉｃａｔｉｏｎである。これにより、ＭＭＥ１００は、ＨＳＳ１０１が格納保持しているユーザー情報を取得する（ステップＳ１２０２）。この際、ＭＭＥ１００は、該当するユーザー（ＵＥ１２０）のユーザー情報を取得する。
【００７３】
次に、ＭＭＥ１００は、該当するユーザー（ＵＥ１２０）の通信の前回切断時刻からの経過時間ｔ１が制限時間ｔ３内であるか判断する（ステップＳ１２０３）。例えば、制限時間ｔ３は２４時間で制限され、通信切断後において経過時間ｔ１が制限時間ｔ３内であればページング送信先を特定する処理が有効期間となる。経過時間ｔ１は、実施の形態においてページング信号を送信するセルを特定する場合に用いる時間であり、制限時間ｔ３を経過後は、経過時間ｔ１を用いずに既存の技術によりＴＡ（ＴＡＩ）全体のセルにページング信号を送信する。
【００７４】
ステップＳ１２０３の判断結果、経過時間ｔ１が制限時間ｔ３内であれば（ステップＳ１２０３：Ｙｅｓ）、ＭＭＥ１００は、ステップＳ１２０４以下の処理を実行する。一方、経過時間ｔ１が制限時間ｔ３を超えていれば（ステップＳ１２０３：Ｎｏ）、ＭＭＥ１００は、ＴＡ範囲のｅＮＢ１１０に対して、セルＩＤを指定せずに、Ｓ１ＡＰでページング信号を送信し（ステップＳ１２０７）、以上の処理を終了する。
【００７５】
ステップＳ１２０４では、ＭＭＥ１００は、ページング信号が初回の送信であるか判断する（ステップＳ１２０４）。初回の送信であれば（ステップＳ１２０４：Ｙｅｓ）、ＭＭＥ１００は、ステップＳ１２０５の処理を実行し、初回以降の送信であれば（ステップＳ１２０４：Ｎｏ）、ステップＳ１２０７の処理に移行し、既存のページング処理を行う。
【００７６】
ステップＳ１２０５では、ＭＭＥ１００は、取得したＴＡＩとＨＳＳ１０１に保存されているユーザー情報からページング信号の送信先のセルＩＤと、ｅＮＢ１１０を特定する（ステップＳ１２０５）。より具体的には、ＭＭＥ１００は、前回の通信切断時のセルＩＤ、電力値、周辺セル情報、移動速度、移動方向に基づき、前回の通信切断時刻から次のページング信号の送信時刻までの経過時間ｔ１でユーザー（ＵＥ１２０）がどのセルに位置するかを推定する。
【００７７】
ステップＳ１２０５では、ＭＭＥ１００は、ＨＳＳ１０１に保存された該当ユーザー（ＵＥ１２０）の移動速度と、切断時刻からページング受信時間の経過時間ｔ１、移動距離用の係数αとに基づきＵＥ１２０の移動距離Ａを算出する（ステップＳ１２０５ａ）。次に、ＭＭＥ１００は、ＨＳＳ１０１に保存された該当ユーザー（ＵＥ１２０）の移動方向及び移動方向用の係数βから移動範囲Ｂを算出する（ステップＳ１２０５ｂ）。次に、ＭＭＥ１００は、算出した移動距離Ａと移動範囲Ｂからページング送信対象のｅＮＢ１１０及びセルを特定する（ステップＳ１２０５ｃ）。係数αを用いた移動距離Ａと、係数βを用いた移動範囲Ｂの推定例については後述する。
【００７８】
この後、ＭＭＥ１００は、算出したセルを収容するｅＮＢ１１０に対して、ページング信号を送信するセルＩＤを指定し、Ｓ１ＡＰでページング信号を送信し（ステップＳ１２０６）、以上の処理を終了する。
【００７９】
（移動通信システム全体の処理例）
図１３は、実施の形態にかかる移動通信システム全体の処理例を示すシーケンス図である。図１に示したＭＭＥ１００、ＨＳＳ１０１、Ｓ−ＧＷ１０２、ｅＮＢ１１０、ＵＥ１２０を含むシステムにおいて、ユーザー（ＵＥ）１２０の通信接続から通信切断までのシーケンスであり、主に既存技術による手順を示す。通信状態は、（１）Ａｔｔａｃｈ中状態、（２）データ疎通状態、（３）データ疎通停止状態、を経てページング動作を行う（ページング動作のシーケンスは後述する）。
【００８０】
（１）Ａｔｔａｃｈ中状態では、ＵＥ１２０がｅＮＢ１１０にＲＲＣ  Ｃｏｎｎｅｃｔｉｏｎ  Ｒｅｑｕｅｓｔを送信し、ｅＮＢ１１０はＵＥ１２０にＲＲＣ  Ｃｏｎｎｅｃｔｉｏｎ  Ｓｅｔｕｐを送信する。この後、ＵＥ１２０はｅＮＢ１１０にＲＲＣ  Ｃｏｎｎｅｃｔｉｏｎ  Ｓｅｔｕｐ  Ｃｏｍｐｌｅｔｅを送信し、ｅＮＢ１１０はＩｎｉｔｉａｌ  ＵＥ  ｍｅｓｓａｇｅをＭＭＥ１００に送信する。ＭＭＥ１００はＨＳＳ１０１のユーザー情報を参照してユーザー認証およびＵＥ１２０の位置登録を行い、ｅＮＢ１１０にＩｎｉｔｉａｌ  Ｃｏｎｔｅｘｔ  Ｓｅｔｕｐ  Ｒｅｑｕｅｓｔを送信する。
【００８１】
この後、ｅＮＢ１１０は、ＵＥ１２０にＳｅｃｕｒｉｔｙ  Ｍｏｄｅ  Ｃｏｍｍａｍｄを送信し、ＵＥ１２０はｅＮＢ１１０にＳｅｃｕｒｉｔｙ  Ｍｏｄｅ  Ｃｏｍｍａｎｄ  Ｃｏｍｐｌｅｔｅを送信する。この後、ｅＮＢ１１０は、ＵＥ１２０にＲＲＣ  Ｃｏｎｎｎｅｃｔｉｏｎ  Ｒｅｃｏｎｆｉｇｕｒａｔｉｏｎを送信する。この際、ｅＮＢ１１０はＵＥ１２０に自セル、周辺セルの品質測定を指示する。
【００８２】
そして、ＵＥ１２０は、ｅＮＢ１１０にＲＲＣ  Ｃｏｎｎｅｃｔｉｏｎ  Ｒｅｃｏｎｆｉｇｕｒａｒｉｏｎ  Ｃｏｍｐｌｅｔｅを送信する。この後、ｅＮＢ１１０は、ＭＭＥ１００にＩｎｉｔｉａｌ  Ｃｏｎｔｅｘｔ  Ｓｅｔｕｐ  Ｒｅｓｐｏｎｓｅを送信する。また、ＵＥ１２０は、ｅＮＢ１１０にＵＬ  Ｉｎｆｏｒｍａｔｉｏｎ  Ｔｒａｎｓｆｅｒを送信し、ｅＮＢ１１０は、ＭＭＥ１００にＵｐｌｉｎｋ  ＮＡＳ  Ｔｒａｎｓｆｅｒを送信する。
【００８３】
（２）データ疎通状態では、ＵＥ１２０はｅＮＢ１１０を介してネットワーク網にＦｉｒｓｔ  Ｕｐｌｉｎｋ  ＤａｔａでＵｐｌｉｎｋ（上りの）音声やデータ等を送信する。同様に、ネットワーク網側からのＤｏｗｎｌｉｎｋ（下りの）音声やデータ等はＦｉｒｓｔ  Ｄｏｗｎｌｉｎｋ  Ｄａｔａで送信する。
【００８４】
データ疎通状態において、ＵＥ１２０は、ｅＮＢ１１０に所定タイミング毎にＭｅａｓｕｒｅｍｅｎｔ  Ｒｅｐｏｒｔを送信し、ＵＥ１２０の通信状況（位置情報、及び自セル、周辺セルの電力値）、移動状況（移動速度、移動方向）の情報を通知する。ｅＮＢ１１０は、これら通信状況、移動状況の情報を記憶する。
【００８５】
（３）データ疎通停止状態は、ＵＥ１２０がｅＮＢ１１０のセル範囲（セル＃３）から外に移動する際に生じる。この際、ＵＥ１２０は、ｅＮＢ１１０を介してＭＭＥ１００にＰＤＮ  Ｄｉｓｃｏｎｎｅｃｔ  Ｒｅｑｕｅｓｔを送信し、ＭＭＥ１００は、ＵＥ１２０にＤｅａｃｔｉｖｅ  ＥＰＳ  Ｂｅａｒｅｒ  Ｃｏｎｔｅｘｔ  Ｒｅｑｕｅｓｔを送信する。この後、ＵＥ１２０は、ＭＭＥ１００にＤｅａｃｔｉｖｅ  ＥＰＳ  Ｂｅａｒｅｒ  Ｃｏｎｔｅｘｔ  Ａｃｃｅｐｔを送信する。そして、ＭＭＥ１００は、ｅＮＢ１１０にＵＥ  Ｃｏｎｔｅｘｔ  Ｒｅｌｅａｓｅ  Ｃｏｍｍａｎｄを送信する。
【００８６】
そして、ｅＮＢ１１０は、ＵＥ１２０の位置情報、および自セル、周辺セルの電力値よりＵＥ１２０の移動速度および移動方向（移動先セル）を算出し、ＵＥ１２０にＲＲＣ  Ｃｏｎｎｅｃｔｉｏｎ  Ｒｅｌｅａｓｅを送信する。
【００８７】
この後、ＵＥ１２０は、ＭＭＥ１００にＵＥ  Ｃｏｎｔｅｘｔ  Ｒｅｌｅａｓｅ  Ｃｏｍｐｌｅｔｅを送信する。この通信接続の切断時、ｅＮＢ１１０は、ＭＭＥ１００に対し、切断時のセル情報、周辺セル情報、算出した上記ＵＥ１２０の移動速度および移動方向（移動先セル）を送信する。
【００８８】
ＭＭＥ１００は、ｅＮＢ１１０から通知されたセル情報、電力値、周辺セル情報、移動速度、移動方向に切断時刻を付与してＨＳＳ１０１に通知する。ＨＳＳ１０１は、格納してあるユーザー情報のうち、該当するＵＥ１２０のユーザー情報としてＭＭＥ１００から通知された上記の各パラメータを格納する。
【００８９】
この後、Ｓ−ＧＷ１０２側より、ＵＥ１２０に対する着信接続の依頼を受けたとする。この場合、ＭＭＥ１００は、ＨＳＳ１０１を参照して該当のＵＥ１２０のユーザー情報を収集し、ＭＭＥ１００は、収集したユーザー情報より、前回の切断時刻からの経過時間ｔ１を計算する。そして、ＭＭＥ１００は、経過時間ｔ１が制限時間ｔ３（例えば２４時間）以内の場合には、経過時間、切断時のセル情報、周辺セル情報、移動速度、移動方向、および、運用中のセル位置情報等により、現在のユーザー（ＵＥ１２０が位置するセル）を推定する。
【００９０】
以後、ＭＭＥ１００は、ＵＥ１２０のページング信号の送出先を推定した場合、１回目のページング信号送信時に、ｅＮＢ１１０へ送信するページング信号に、送信するセルＩＤを付与して通知する。ページング信号を受信したｅＮＢ１１０は、ページング信号にセルＩＤが付与されていると、通知されたセルＩＤのみにページング信号を送信する。
【００９１】
一方、ＭＭＥ１００がＵＥ１２０のページング信号の送出先を特定しない場合、ＭＭＥ１００は、１回目のページング信号送信時であっても、ページング信号にセルＩＤを付与しない。この場合、ＭＭＥ１００は、ＴＡ（ＴＡＩ）内の全セル（全てのｅＮＢ１１０）に対してページング信号を送信する。
【００９２】
ｅＮＢ１１０およびＭＭＥ１００は、ＵＥ１２０からのページング  Ｒｅｓｐｏｎｓｅ信号を受信したら、そのまま着信接続を行う。ＵＥ１２０からのページング  Ｒｅｓｐｏｎｓｅ信号を受信できなかった場合には、ＭＭＥは２回目のページング信号の送信（再送）を行うが、この場合、ＭＭＥ１００は、ＵＥ１２０が存在するＴＡ（ＴＡＩ）の全セルに対してページング信号を送信する。以下、各推定例別のページング処理のシーケンスを説明する。
【００９３】
（各推定例別のページング処理例）
（１）通信切断後も同じセルにページング信号を送信する例
図１４は、実施の形態にかかる制御装置によるページング信号の送出先セルの推定例１のシーケンス図である。ここで、ＵＥ１２０は、例えば、自宅、職場、カフェ等に位置しており、ｅＮＢ＃１（１１０）のセル（Ｃｅｌｌ＃３）の位置が変わらない状態であるとする。
【００９４】
ＭＭＥ１００は、Ｓ−ＧＷ１０２からページングのトリガーを受信すると（Ｓ１１）、ＨＳＳ１０１からＵＥ１２０のユーザー情報を収集する（Ｓ１２）。そして、ＭＭＥ１００は、ＵＥ１２０は、Ｃｅｌｌ＃３に位置したままであり位置が変わらず電力の変動が少ないと判断する。この場合、ＭＭＥ１００は、ＵＥ１２０の通信切断後も、しばらくの時間はそのセル（Ｃｅｌｌ＃３）に留まる可能性が高いと推定する（Ｓ１３）。そして、ＭＭＥ１００は、１回目のページング信号を通信切断前のセル（Ｃｅｌｌ＃３）のみに送信する（Ｓ１４）。
【００９５】
（２）ＵＥがセル端に位置する場合にページング信号を送信する例
図１５は、実施の形態にかかる制御装置によるページング信号の送出先セルの推定例２のシーケンス図である。ここで、ＵＥ１２０は、推定例（１）同様に、電力の変動が少ない状態であり、セル（Ｃｅｌｌ＃２）の端部に位置しているとする。
【００９６】
ＭＭＥ１００は、Ｓ−ＧＷ１０２からページングのトリガーを受信すると（Ｓ１１）、ＨＳＳ１０１からＵＥ１２０のユーザー情報を収集する（Ｓ１２）。そして、ＭＭＥ１００は、ＵＥ１２０は、Ｃｅｌｌ＃２の端部に位置したままであり位置が変わらず電力の変動が少ないと判断する。この場合、ＭＭＥ１００は、ＵＥ１２０は、位置しているセル（Ｃｅｌｌ＃２）と、その周辺セル（Ｃｅｌｌ＃３）に位置する可能性が高いと推定する（Ｓ１５）。そして、ＭＭＥ１００は、１回目のページング信号を通信切断前のセル（Ｃｅｌｌ＃２）と周辺セル（Ｃｅｌｌ＃３）にそれぞれ送信する（Ｓ１６）。
【００９７】
（４）ＵＥのセル移動を推定してページング信号を送信する例
図１６は、実施の形態にかかる制御装置によるページング信号の送出先セルの推定例４のシーケンス図である。ここで、ＵＥ１２０は、セル移動（Ｃｅｌｌ＃３→Ｃｅｌｌ＃４）しているとする。
【００９８】
ＭＭＥ１００は、Ｓ−ＧＷ１０２からページングのトリガーを受信すると（Ｓ１１）、ＨＳＳ１０１からＵＥ１２０のユーザー情報を収集する（Ｓ１２）。そして、ＭＭＥ１００は、Ｃｅｌｌ＃３で通信中のＵＥ１２０の通信時間ｔ２および、その間の電力値の変動を測定する。そして、ＭＭＥ１００は、ＵＥ１２０の通信時間ｔ２が所定の閾値よりも長く、かつ、電力の変動値からＵＥ１２０がＣｅｌｌ＃３からＣｅｌｌ＃４の方向へ移動していると判断する。
【００９９】
そして、ＭＭＥ１００は、ＵＥ１２０の移動速度および移動方向、通信の切断時刻からページング信号を送信するまでの経過時間ｔ１によって、このＵＥ１２０がＣｅｌｌ＃４に位置する可能性が高いと推定する（Ｓ１７）。そして、ＭＭＥ１００は、通信切断前のＣｅｌｌ＃３と、推定したＣｅｌｌ＃４に１回目のページング信号を送信する（Ｓ１８）。
【０１００】
上述したＭＭＥ１００による、ＵＥ１２０の移動速度および移動方向、通信の切断時刻からページング信号を送信するまでの経過時間ｔ１によるＵＥ１２０の位置の推定（Ｓ１７）の処理の詳細を説明する。
【０１０１】
ｅＮＢ１１０の移動情報算出処理部３１４は、ＵＥ１２０と通信の際に、ＵＥ１２０の移動状況（移動速度、移動方向）を測定し、ＵＥ１２０との通信切断時に、移動状況の情報をユーザー情報に含ませてＭＭＥ１００に送信し、ＨＳＳ１０１に格納保持する。
【０１０２】
図１７は、実施の形態にかかる制御装置によるＵＥの移動先セルの推定を説明する図である。ＭＭＥ１００は、Ｓ−ＧＷ１０２から該当するＵＥ１２０への着信接続依頼を受けると、図１７に示すように、既存の技術では、ＵＥ１２０の移動方向に対応した一つのセル１７００ａを推定する。
【０１０３】
そして、実施の形態では、ＭＭＥ１００は、さらに、ＵＥ１２０の前回の通信の切断時刻から着信接続依頼までの経過時間と、ＵＥ１２０の移動速度に基づき、ＵＥ１２０が位置するセルを推定する。すなわち、ＭＭＥ１００は、ＵＥ１２０の移動速度や移動方向の変化を想定して移動先のセルを推定する。
【０１０４】
具体的には、ＭＭＥ１００は、ＵＥ１２０の移動速度に対して×αの係数を掛けて移動距離Ａを求める。また。移動範囲Ｂについては、±βの係数の角度範囲を持たせる。そして、ＭＭＥ１００は、これら係数α，βを考慮して算出した移動距離Ａと、移動範囲Ｂとで囲まれたエリア１７００ｂ（図中点線）が移動するＵＥ１２０が位置するページング対象のセルとして推定する。そして、ＭＭＥ１００は、このエリア１７００ｂを収容するｅＮＢ１１０に対してそれぞれページング信号を送信する。
【０１０５】
例えば、ＭＭＥ１００は、ＵＥ１２０の前回の通信の切断時刻から着信接続依頼までの経過時間ｔ１が長いほど係数βを増加させ、ＵＥ１２０の移動方向に対し幅方向のエリアを広げる。また、ＵＥ１２０の移動速度が速いほど係数αを増加させ、ＵＥ１２０の移動方向上のエリアを広げる。
【０１０６】
このように、ＵＥ１２０の前回の通信の切断時刻から着信接続依頼までの経過時間ｔ１と、ＵＥ１２０の移動速度を考慮することで、移動するＵＥ１２０の移動先のセルをより正確に推定できるようになる。
【０１０７】
（６）ＵＥとの通信切断を遅延させてユーザー（ＵＥ）の移動状況を検出してページング信号を送信する例
図１８は、実施の形態にかかる移動通信システム全体の処理例を示すシーケンス図である。通信状態は、（１）Ａｔｔａｃｈ中状態、（２）データ疎通状態、（３）データ疎通停止状態、を経てページング動作を行う。図１８では、図１３に示した（１）Ａｔｔａｃｈ中状態、（２）データ疎通状態、の処理手順が同じであり、（３）データ疎通停止状態において、ＵＥ１２０との通信切断を遅延させる処理を加えてある。
【０１０８】
（３）データ疎通停止状態は、ＵＥ１２０がｅＮＢ１１０のセル範囲（セル＃３）から外に移動する際に生じる。この際、ＵＥ１２０は、ｅＮＢ１１０を介してＭＭＥ１００にＰＤＮ  Ｄｉｓｃｏｎｎｅｃｔ  Ｒｅｑｕｅｓｔを送信し、ＭＭＥ１００は、ＵＥ１２０にＤｅａｃｔｉｖｅ  ＥＰＳ  Ｂｅａｒｅｒ  Ｃｏｎｔｅｘｔ  Ｒｅｑｕｅｓｔを送信する。この後、ＵＥ１２０は、ＭＭＥ１００にＤｅａｃｔｉｖｅ  ＥＰＳ  Ｂｅａｒｅｒ  Ｃｏｎｔｅｘｔ  Ａｃｃｅｐｔを送信する。そして、ＭＭＥ１００は、ｅＮＢ１１０にＵＥ  Ｃｏｎｔｅｘｔ  Ｒｅｌｅａｓｅ  Ｃｏｍｍａｎｄを送信する。
【０１０９】
この後、実施の形態のｅＮＢ１１０は、ＵＥ１２０とのサービス切断後もＲＲＣコネクションを遅延時間ｔ４だけ維持して、ＵＥ１２０の移動状態を取得する。すなわち、ｅＮＢ１１０は、データ疎通停止状態となっても、遅延時間ｔ４（例えば１分程度）、ＵＥ１２０に対するＲＲＣ  Ｃｏｎｎｅｃｔｉｏｎ  Ｒｅｌｅａｓｅの送信を保留する。これにより、ＵＥ１２０は、データ疎通停止状態となってから遅延時間ｔ４の間、ｅＮＢ１１０に対して複数回のＭｅａｓｕｒｅｍｅｎｔ  Ｒｅｐｏｒｔを送信し、ＵＥ１２０の移動状態をｅＮＢ１１０に通知する。
【０１１０】
この後、ｅＮＢ１１０は、ＵＥ１２０の位置情報、および自セル、周辺セルの電力値よりＵＥ１２０の移動速度および移動方向（移動先セル）を算出し、ＵＥ１２０にＲＲＣ  Ｃｏｎｎｅｃｔｉｏｎ  Ｒｅｌｅａｓｅを送信する。この後、ＵＥ１２０は、ＭＭＥ１００にＵＥ  Ｃｏｎｔｅｘｔ  Ｒｅｌｅａｓｅ  Ｃｏｍｐｌｅｔｅを送信する。この後、ＭＭＥ１００は、上述したＵＥ１２０が位置するセル推定を行ってページング送信の処理を行う（図１４〜図１６等参照）。
【０１１１】
上記構成によれば、ＵＥ１２０側からの通信切断操作時に、ｅＮＢ１１０がＵＥ１２０との通信切断を遅延させるだけで、遅延時間ｔ４（例えば１分程度）の間のユーザー（ＵＥ）の移動状況を取得できる。これにより、ＵＥ１２０との間の通信切断後にページング信号を送信するセル推定を行う際、より多数のユーザー情報（ＵＥ１２０の移動速度、移動方向、電力値等）に基づき、移動するＵＥ１２０の移動先セルをより正確に推定できるようになる。
【０１１２】
（７）ユーザー（ＵＥ）の位置の統計情報を用いてページング信号を送信する例
図１９、図２０は、それぞれ実施の形態にかかる制御装置による統計情報を用いたＵＥの移動先セル推定の処理例を示すフローチャートである。図１９は、ＭＭＥ１００がＲＲＣ  Ｃｏｎｎｅｃｔｉｏｎ確立時に行う統計処理例、図２０は、ＭＭＥ１００がページング送信契機で行う統計処理例を示す。
【０１１３】
図１９に示すように、ＭＭＥ１００は、Ｉｎｉｔｉａｌ  ＵＥ  ｍｅｓｓａｇｅを受信すると（ステップＳ１９０１）、ＨＳＳ１０１に格納されているユーザー情報に基づきＵＥ１２０の認証処理を行う（ステップＳ１９０２）。この後、ＭＭＥ１００は、ＵＥ１２０（ｅＮＢ  ＵＥ  Ｓ１ＡＰ  ＩＤ）単位にＥ−ＵＴＲＡＮ  ＣＧＩのＣｅｌｌ  Ｉｄｅｎｔｉｔｙにて指定されたセルＩＤの使用統計のカウントをインクリメントする（ステップＳ１９０３）。
【０１１４】
この後、ＭＭＥ１００は、セルＩＤの統計をカウントしたＵＥ１２０の過去の一定期間Ｔ（例えば１週間分）のセルＩＤ使用率（％）を算出する（ステップＳ１９０４）。そして、ＭＭＥ１００は、算出したセルＩＤの使用率をＨＳＳ１０１にユーザー情報の一部として保存する（ステップＳ１９０５）。例えば、図１０に示すように、ＭＭＥ１００は、セル統計情報として、セルＩＤ毎の使用回数、使用率を保存する。この後、ＭＭＥ１００は、ｅＮＢ１１０にＩｎｉｔｉａｌ  Ｃｏｎｔｅｘｔ  Ｓｅｔｕｐ  Ｒｅｑｕｅｓｔを送信し（ステップＳ１９０６）、以上の処理を終了する。
【０１１５】
この後、図２０に示すように、ＭＭＥ１００は、Ｓ−ＧＷ１０２からページングのトリガーの受信により（ステップＳ２００１）、ＨＳＳ１０１が格納保持しているユーザー情報を取得する（ステップＳ２００２）。この際、ＭＭＥ１００は、ページング対象の該当するユーザー（ＵＥ１２０）のユーザー情報を取得する。
【０１１６】
そして、ＭＭＥ１００は、ＨＳＳ１０１に格納されている該当のＵＥ１２０の統計情報の総数が十分な値であるかを判断する（ステップＳ２００３）。ＵＥ１２０の統計情報の総数が十分な値であれば（ステップＳ２００３：Ｙｅｓ）、ステップＳ２００４の処理に移行する。
【０１１７】
一方、ＵＥ１２０の統計情報の総数が十分な値でなければ（ステップＳ２００３：Ｎｏ）、ＭＭＥ１００は、ＴＡ範囲のｅＮＢ１１０に対して、セルＩＤを指定せずに、Ｓ１ＡＰでページング信号を送信し（ステップＳ２００６）、以上の処理を終了する。
【０１１８】
ステップＳ２００４では、ＭＭＥ１００は取得したＵＥ１２０のユーザー情報内のＴＡＩと、ＨＳＳ１０２に保存したセルＩＤからページング送信先のセルＩＤとｅＮＢ１１０を特定する（ステップＳ２００４）。そして、ＭＭＥ１００は、特定したセルを収容するｅＮＢ１１０に対して、ページング信号を送信するセルＩＤを指定し、Ｓ１ＡＰでページング信号を送信し（ステップＳ２００５）、以上の処理を終了する。
【０１１９】
以上の構成によれば、ＭＭＥ１００は、ページング信号の送信時に、セル統計情報を用いることで、例えば、ＵＥ１２０が過去の一定期間Ｔに位置（使用）したセルのうち、閾値以上の使用率のセルに対してのみ、ページング信号を送信することができる。このように、統計情報を用いてページング信号の送信先のセルを推定することにより、ＵＥ毎に使用率が大きいセルに対し優先的にページング信号を送信でき、ＵＥ１２０に対する着信の接続性を向上できる。
【０１２０】
上記実施の形態では、ｅＮＢ１１０（移動情報算出部３１４）がＵＥ１２０の移動状況を算出する構成とした。ＵＥ１２０が有するＧＰＳ（Ｇｌｏｂａｌ  Ｐｏｓｉｔｉｏｎｉｎｇ  Ｓｙｓｔｅｍ）により移動状況（移動方向、移動速度等）の情報をＭＭＥ１００に送信する構成としてもよい。
【０１２１】
以上説明した実施の形態によれば、ＭＭＥは、ＵＥの通信中にＵＥの通信状況と移動状況の情報を取得して、ＨＳＳのユーザー情報の一部として格納保持する。そして、ＵＥの通信切断後、ページング信号の送信時に、ＨＳＳのユーザー情報を読み出して、ＵＥのセル位置を推定し、推定したセルに対してのみ初回のページング信号を送信する。すなわち、ページング信号を送信するタイミングの際に適切なセルを選択でき、ＵＥを正確に移動管理できるようになる。
【０１２２】
複数のセルのうち、実際にはある１セルのみにＵＥが位置しており、推定によりページング信号をＵＥが位置していない他のセルに送信することがなく、不要なページング信号の送信を抑制してＰ−ＣＨの輻輳を防ぐことができる。加えて、移動通信システム上で無駄なページング信号の送信を削減でき、また、受信側でのページング信号の破棄を抑制でき、ＵＥに対する着信の接続性を向上できるようになる。
【０１２３】
推定結果として得られるセルは、一つに限らず、ＴＡを形成する多数のセルのうち絞った一つあるいは複数のセルである。通信中のＵＥの電力値の変動が少なければページング信号の送信時にも切断時と同じセルに位置していると推定し、この一つのセルにページング信号を送信する。また、推定結果がセル端であれば位置しているセルと隣接する周辺セルにページング信号を送信する。また、通信切断後、ページング信号を送信するまでの経過時間が制限時間を超えていれば、時間経過により推定結果の精度が低下するため、推定を行わずに、ＴＡの全セルに対してページング信号を送信する。
【０１２４】
また、通信中のＵＥの電力値や移動速度や移動方向の情報に基づき、ＵＥが特定の方向に移動していると推定した場合、通信切断時のセルと推定したセルにページング信号を送信することで、ＵＥの移動状態に適したセルからページング信号を送信できる。また、ＵＥの移動速度や移動方向に応じた係数α，βを用いて推定することで、より正確にＵＥが位置するセルを特定できるようになる。また、ＵＥとの通信切断時に遅延時間を持たせることで、通信状況や移動状況の情報をより多く取得でき、ＵＥの移動状態をより正確に推定できるようになる。
【０１２５】
また、ＵＥから取得した通信状況や移動状況の情報を一定期間蓄積し、この一定期間においてＵＥが位置したセルを統計処理することで、ＵＥ毎の移動状態に適合したセルの推定精度を向上できるようになる。また、初回のページング信号がＵＥで検出できない応答があれば、２回目以降のページング信号をＴＡ全体のセルに送信することで、ページング信号をより確実にＵＥに通知できるようになる。
【０１２６】
加えて、現在、ネットワーク側から端末に対する各種サービス情報の配信が増加しているが、この増加するトラフィックに対応しつつ、ページング信号の破棄を抑制でき、移動通信システム全体の処理能力に負荷をかけない。このように、実施の形態によれば、ページング信号の送出先のセルを正確に絞って推定できるため、ページング信号の破棄を抑制でき、移動通信システム全体のＰ−ＣＨの輻輳および処理負荷を低減できるようになる。
【０１２７】
なお、本実施の形態で説明した上記の制御方法は、あらかじめ用意された制御プログラムを対象機器（上記制御装置）等のコンピュータ（ＣＰＵ等）が実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【０１２８】
上述した実施の形態に関し、さらに以下の付記を開示する。
【０１２９】
（付記１）移動する端末の通信切断時の通信状況と移動状況に関する情報を取得し、前記通信状況と前記移動状況に関する情報に基づき、前記端末に対してページング信号を送信する際に前記端末が位置するセルを推定し、トラッキングエリアの複数のセルのうち、推定した前記セルにのみ初回の前記ページング信号を送信する制御部を備えたことを特徴とする制御装置。
【０１３０】
（付記２）前記制御部は、前記通信切断時から前記ページング信号を送信するまでの経過時間が所定の制限時間内であれば、前記端末が位置する前記セルの推定を行い、推定した前記セルにのみ初回の前記ページング信号を送信することを特徴とする付記１に記載の制御装置。
【０１３１】
（付記３）前記制御部は、前記通信切断直前の通信時における前記端末の移動速度と、移動方向の情報を取得し、前記移動速度と前記移動方向に対応する所定の係数を用いて前記端末が位置する前記セルの推定を行うことを特徴とする付記１または２に記載の制御装置。
【０１３２】
（付記４）前記制御部は、前記経過時間が前記制限時間を超えていれば、前記トラッキングエリアの複数のセル全体に初回の前記ページング信号を送信することを特徴とする付記１〜３のいずれか一つに記載の制御装置。
【０１３３】
（付記５）前記制御部は、前記端末との間の通信切断要求時に、当該通信切断要求を遅延時間だけ遅らせ、当該遅延時間の間、前記端末の前記移動状況に関する情報を取得し、前記端末が位置する前記セルの推定に用いることを特徴とする付記１〜４のいずれか一つに記載の制御装置。
【０１３４】
（付記６）前記制御部は、一定期間の前記端末が通信を行った前記セルの情報を格納保持し、前記一定期間で前記端末が位置しているセルの統計に基づき、前記端末が位置する前記セルを推定することを特徴とする付記１〜５のいずれか一つに記載の制御装置。
【０１３５】
（付記７）前記制御部は、前記端末が位置する前記セルの電力値の変動が少ない場合、当該前記端末が位置する前記セルにのみ初回の前記ページング信号を送信することを特徴とする付記１〜６のいずれか一つに記載の制御装置。
【０１３６】
（付記８）前記制御部は、前記端末が位置するセルの推定結果が、前記セルの端部である場合、当該セルと、当該セルに隣接する周辺セルに初回の前記ページング信号を送信することを特徴とする付記１〜７のいずれか一つに記載の制御装置。
【０１３７】
（付記９）前記制御部は、通信接続される基地局から前記端末の通信中の通信状況と移動状況に関する情報を通信コマンドを用いて取得することを特徴とする付記１〜８のいずれか一つに記載の制御装置。
【０１３８】
（付記１０）移動する端末と、複数のセルを有し前記端末と通信接続する基地局と、前記基地局を通信制御する制御装置と、前記端末のユーザー情報を格納する記憶部と、を有する移動通信システムにおいて、
前記端末は、前記基地局と通信中の通信状況に関する情報を前記基地局に送信し、
前記基地局は、前記端末から受信した前記通信状況に関する情報に基づき、前記端末の移動状況を算出し、前記通信状況と、前記移動状況に関する情報を前記制御装置に送信し、
前記制御装置は、前記通信状況と前記移動状況に関する情報を取得して前記記憶部に格納保持し、前記端末の通信切断時、前記記憶部に格納された前記端末の前記通信状況と前記移動状況に関する情報に基づき、前記端末に対してページング信号を送信する際に前記端末が位置するセルを推定し、トラッキングエリアの複数の前記セルのうち、推定した前記セルにのみ初回の前記ページング信号を送信する、
ことを特徴とする移動通信システム。
【０１３９】
（付記１１）移動する端末と、複数のセルを有し前記端末と通信接続する基地局と、前記基地局を通信制御する制御装置と、前記端末のユーザー情報を格納する記憶部と、を有する移動通信システムの移動通信方法において、
前記端末は、前記基地局と通信中の通信状況に関する情報を前記基地局に送信し、
前記基地局は、前記端末から受信した前記通信状況に関する情報に基づき、前記端末の移動状況を算出し、前記通信状況と、前記移動状況に関する情報を前記制御装置に送信し、
前記制御装置は、前記通信状況と前記移動状況に関する情報を取得して前記記憶部に格納保持し、前記端末の通信切断時、前記記憶部に格納された前記端末の前記通信状況と前記移動状況に関する情報に基づき、前記端末に対してページング信号を送信する際に前記端末が位置するセルを推定し、トラッキングエリアの複数の前記セルのうち、推定した前記セルにのみ初回の前記ページング信号を送信する、
ことを特徴とする移動通信方法。
【符号の説明】
【０１４０】
１００  制御装置（ＭＭＥ）
１０１  ＨＳＳ
１０２  Ｓ−ＧＷ
１１０  基地局（ｅＮＢ）
１２０  端末（ＵＥ）
２０１，３０１，５０１  制御部（ＣＮＴ部）
２０２  ｅＮＢ通信制御部
２０３  ＨＳＳ通信制御部
２０４  Ｓ−ＧＷ通信制御部
２１１，３１１，５１１  呼制御部
２１２，３１２，５１２  ページング信号処理部
２１３  セル構成管理部
２１４  統計情報収集・管理部
３０２，４０３  ＭＭＥ通信制御部
３０３，５０２  無線通信部
３１３，５１３  測定部
３１４  移動情報算出処理部
４０１  ユーザー情報管理部
４０２  ストレージ（ＤＢ）
６０１  入出力ＩＦ
６０２  ネットワークインタフェース
６０３  ＣＰＵ
６０４  メモリ
ＴＡ  トラッキングエリア
【図１】
2019075680.tif 000003
【図２】
2019075680.tif 000004
【図３】
2019075680.tif 000005
【図４】
2019075680.tif 000006
【図５】
2019075680.tif 000007
【図６】
2019075680.tif 000008
【図７】
2019075680.tif 000009
【図８】
2019075680.tif 000010
【図９】
2019075680.tif 000011
【図１０】
2019075680.tif 000012
【図１１】
2019075680.tif 000013
【図１２】
2019075680.tif 000014
【図１３】
2019075680.tif 000015
【図１４】
2019075680.tif 000016
【図１５】
2019075680.tif 000017
【図１６】
2019075680.tif 000018
【図１７】
2019075680.tif 000019
【図１８】
2019075680.tif 000020
【図１９】
2019075680.tif 000021
【図２０】
2019075680.tif 000022